(57)【要約】  蒸気発生デバイス（１０）のための誘導加熱組立体（２０）が、誘導コイル（３０）と、誘導コイル（３０）に隣接して位置付けられたローパスフィルタ（３４）とを含む。ローパスフィルタ（３４）は、誘導コイル（３０）のためのローパスフィルタとして機能するために誘導コイル（３０）に電気的に接続されるとともに、誘導コイル（３０）のための電磁シールドを提供するために実質的に誘導コイル（３０）の少なくとも１つの側にわたって延在するように成形される。
2021508925.tif 000002
【特許請求の範囲】
【請求項１】
蒸気発生デバイス（１０）のための誘導加熱組立体（２０）であって、前記誘導加熱組立体（２０）が、
誘導コイル（３０）と、
ローパスフィルタ（３４）であって、前記誘導コイル（３０）に隣接して位置付けられるとともに、前記誘導コイル（３０）のための電磁シールドを提供するために実質的に前記誘導コイル（３０）の少なくとも１つの側にわたって延在するように成形されたローパスフィルタ（３４）と
を含む誘導加熱組立体（２０）。
【請求項２】
電力を前記誘導コイル（３０）に提供するよう配置された電源（１６）と、
空気出口（１４）と連通している加熱区画（２２）と
をさらに含む、請求項１に記載の誘導加熱組立体（２０）。
【請求項３】
前記ローパスフィルタ（３４）が前記誘導コイル（３０）と前記電源（１６）との間に位置付けられる、請求項２に記載の誘導加熱組立体（２０）。
【請求項４】
前記ローパスフィルタ（３４）が前記誘導コイル（３０）と前記空気出口（１４）との間に位置付けられる、請求項２に記載の誘導加熱組立体（２０）。
【請求項５】
前記加熱区画（２２）と連通する空気入口（１８）であって、前記ローパスフィルタ（３４）が前記空気入口（１８）と前記電源（１６）との間に位置付けられる空気入口（１８）をさらに含む、請求項２に記載の誘導加熱組立体（２０）。
【請求項６】
共振キャパシタ（４２）であって、前記ローパスフィルタ（３４）が前記誘導コイル（３０）と前記共振キャパシタ（４２）との間に位置付けられる共振キャパシタ（４２）をさらに含む、請求項１又は２に記載の誘導加熱組立体（２０）。
【請求項７】
前記ローパスフィルタ（３４）がコイル（３６）を含む、請求項１〜６のいずれか一項に記載の誘導加熱組立体（２０）。
【請求項８】
前記ローパスフィルタコイル（３６）が、コイルの巻き方向により画定された平面において延在するフラットコイルを含む、請求項７に記載の誘導加熱組立体（２０）。
【請求項９】
前記誘導コイル（３０）がらせん形であり、
前記ローパスフィルタコイル（３６）がらせん形誘導コイル（３０）の軸方向端部（３８、４０）に位置付けられ、
前記ローパスフィルタコイル（３６）の前記平面が前記らせん形誘導コイル（３０）の前記軸方向に実質的に垂直である、請求項８に記載の誘導加熱組立体（２０）。
【請求項１０】
前記誘導コイル（３０）がらせん形であり、
前記ローパスフィルタ（３４）が、前記らせん形誘導コイル（３０）の細長い側を実質的に覆うように配置される、請求項１、７又は８に記載の誘導加熱組立体（２０）。
【請求項１１】
前記ローパスフィルタ（３４）がフェリ磁性材料を含むプレート部材（４４）を含み、前記ローパスフィルタコイル（３６）が前記プレート部材（４４）に位置付けられる、請求項７〜１０のいずれか一項に記載の誘導加熱組立体（２０）。
【請求項１２】
前記ローパスフィルタがフェリ磁性材料を含む２つのプレート部材（４４ａ、４４ｂ）を含み、前記ローパスフィルタコイル（３６）が前記プレート部材（４４ａ、４４ｂ）間に位置付けられる、請求項１１に記載の誘導加熱組立体（２０）。
【請求項１３】
前記又は各プレート部材（４４、４４ａ、４４ｂ）が低導電率及び高透磁性を有するフェリ磁性材料を含む、請求項１１又は１２に記載の誘導加熱組立体（２０）。
【請求項１４】
蒸気発生デバイス（１０）であって、
請求項１〜１３のいずれか一項に記載の誘導加熱組立体（２０）と、
電力を誘導コイル（３０）に提供するよう配置された電源（１６）と、
誘導加熱可能なカートリッジ（２４）を受けるよう配置された加熱区画（２２）と、
空気を前記加熱区画（２２）に提供するように配置された空気入口（１８）と、
前記加熱区画（２２）と連通している空気出口（１４）と
を含む蒸気発生デバイス（１０）。
【発明の詳細な説明】
【技術分野】
【０００１】
本開示は、蒸気発生デバイスのための誘導加熱組立体に関する。本開示の実施形態はまた蒸気発生デバイスに関連する。
【背景技術】
【０００２】
吸入のための蒸気を生じさせるために蒸発可能な物質を、燃焼させるのではなく加熱するデバイスは、近年消費者に人気が出ている。
【０００３】
そのようなデバイスは、熱を物質に提供するためにいくつかの異なるアプローチのうちの１つを使い得る。１つのそのようなアプローチは、誘導加熱システムを用いる蒸気発生デバイスを提供することである。そのようなデバイスにおいて、誘導コイル（以降、インダクタとも呼ばれる）にデバイスが設けられ、サセプタに蒸発可能な物質が設けられる。ユーザがデバイスを起動させると電気エネルギーがインダクタに提供され、インダクタが今度は交流電磁場を発生させる。サセプタは電磁場と結合するとともに、蒸発可能な物質へ例えば伝導により伝えられる熱を発生させ、蒸発可能な物質が加熱されると蒸気が発生する。
【発明の概要】
【発明が解決しようとする課題】
【０００４】
このようなアプローチには、加熱、したがって蒸気発生のより良好な制御を提供する可能性がある。しかしながら、誘導加熱システムの使用の欠点は、誘導コイルにより発生した電磁場の漏洩が生じる場合があることであり、したがって、この欠点に対処する必要がある。
【課題を解決するための手段】
【０００５】
本開示の第１態様によると、蒸気発生デバイスのための誘導加熱組立体であって、誘導加熱組立体が、
誘導コイルと、
ローパスフィルタであって、誘導コイルに隣接して位置付けられるとともに実質的に誘導コイルの少なくとも１つの側にわたって延在するように成形されたローパスフィルタと
を含む誘導加熱組立体が提供される。
【０００６】
ローパスフィルタは、誘導コイルのためのローパスフィルタとして機能するために誘導コイルに電気的に接続される。ローパスフィルタはまた、誘導コイルのための電磁シールドを提供するように構築される。このようにして、単一の電子部品が、誘導加熱組立体の電子制御電気回路のローパスフィルタ及び電磁シールドの両方として機能するように提供され得る。誘導加熱組立体の構造は、したがって、使用する必要のある電子部品の数が減ることを原因として単純化される。より少ない数の電子部品を使用することは、誘導加熱組立体のサイズ及び製造コストの両方が減少することをもたらす。
【０００７】
本開示の第２態様によると、蒸気発生デバイスであって、
本開示の第１態様による誘導加熱組立体と、
誘導コイルに電力を提供するように配置された電源と、
誘導加熱可能なカートリッジを受けるよう配置された加熱区画と、
空気を加熱区画に提供するように配置された空気入口と、
加熱区画と連通している空気出口と
を含む蒸気発生デバイスが提供される。
【０００８】
誘導加熱組立体は、電力を誘導コイルに提供するように配置された電源、例えばバッテリを含み得る。誘導加熱組立体は空気出口と連通している加熱区画を含み得る。加熱区画は、誘導加熱可能なカートリッジを受けるよう配置されてもよい。
【０００９】
ローパスフィルタは誘導コイルと電源との間に位置付けられてもよい。
【００１０】
ローパスフィルタは誘導コイルと空気出口との間に位置付けられてもよい。
【００１１】
誘導加熱組立体は加熱区画と連通する空気入口を含んでもよく、ローパスフィルタは空気入口と電源との間に位置付けられ得る。このような配置構成は、小型の誘導加熱組立体の、したがって小型の蒸気発生デバイスの提供を可能にする。
【００１２】
誘導加熱組立体は１つ又は複数の共振キャパシタを含んでもよく、ローパスフィルタは誘導コイルと１つ又は複数の共振キャパシタとの間に位置付けられてもよい。１つ又は複数の共振キャパシタは、したがって、電磁への露出から保護される。
【００１３】
ローパスフィルタはコイルを含み得る。ローパスフィルタコイルは、コイルの巻き方向により画定された平面において延在し得るフラットコイルを含み得る。
【００１４】
誘導コイルはらせん形であってもよい。
【００１５】
ローパスフィルタコイルはらせん形誘導コイルの軸方向端部に位置付けられる。ローパスフィルタコイルの平面は、らせん形誘導コイルの軸方向に実質的に垂直であり得る。
【００１６】
ローパスフィルタはらせん形誘導コイルの細長い側を実質的に覆うように配置され得る。
【００１７】
ローパスフィルタはフェリ磁性材料を含むプレート部材を含んでもよく、ローパスフィルタコイルはプレート部材に位置付けられ得る。このような配置構成によりローパスフィルタのインダクタンス及びＥＭ遮蔽性能は増加する。
【００１８】
ローパスフィルタはフェリ磁性材料を含む２つのプレート部材を含んでもよく、ローパスフィルタコイルはプレート部材間に位置付けられ得る。このような配置構成によりこの場合もローパスフィルタのインダクタンス及びＥＭ遮蔽性能は増加する。
【００１９】
当該又は各フェリ磁性プレート部材は円形であってもよく、例えばフェリ磁性ディスクを含んでもよいが他の形状も用いられ得る。
【００２０】
当該又は各フェリ磁性プレート部材は、低導電率及び高透磁性を有するフェリ磁性材料、例えばフェライトセラミックを含んでもよい。
【００２１】
誘導加熱組立体は、使用の際、およそ２０ｍＴ〜最高濃度でおよそ２．０Ｔの磁束密度を有する変動電磁場で作動するように配置されてもよい。
【００２２】
誘導加熱組立体は、高周波数で作動するように構成され得る電源及び電気回路を含んでもよい。電源及び電気回路は、およそ８０ｋＨｚ〜５００ｋＨｚ、場合によりおよそ１５０ｋＨｚ〜２５０ｋＨｚ、及び場合によりおよそ２００ｋＨｚの周波数で作動するように構成されてもよい。電源及び電気回路は、使用される誘導加熱可能なサセプタのタイプに依存して、より高い周波数で、例えばＭＨｚ単位の範囲で作動するように構成され得る。
【００２３】
ローパスフィルタはおよそ１００ｋＨｚ〜６００ｋＨｚのカットオフ周波数を有し得る。いくつかの実施形態において、ローパスフィルタはおよそ２５０ｋＨｚのカットオフ周波数を有し得る。他の実施形態において、ローパスフィルタはおよそ２８０ｋＨｚ〜３００ｋＨｚのカットオフ周波数を有し得る。
【００２４】
誘導コイルは任意の好適な材料を含み得るが、典型的には誘導コイルはリッツワイヤ又はリッツケーブルを含み得る。
【００２５】
誘導加熱組立体は任意の形状及び形を取り得るが、これは、過剰な材料使用を減らすために、実質的に誘導コイルの形をとるように配置され得る。上記の通り、誘導コイルは形状が実質的にらせん形であってもよい。
【００２６】
らせん形誘導コイルの円形断面は誘導加熱組立体への誘導加熱可能なカートリッジの挿入を容易にするとともに誘導加熱可能なカートリッジの均一な加熱を確実にする。誘導加熱組立体の結果としての形状はまたユーザにとって快適に把持できるものである。
【００２７】
誘導加熱可能なカートリッジは１つ又は複数の誘導加熱可能なサセプタを含み得る。当該又は各サセプタは、限定されるものではないが、アルミニウム、鉄、ニッケル、ステンレス鋼及びその合金、例えばニッケルクロム又はニッケル銅の１つ又は複数を含んでもよい。その付近に電磁場を印加すると、渦電流及び磁気ヒステリシス損失を原因として当該又は各サセプタが熱を発生させることがあり、結果として電磁からのエネルギーを熱に変換する。
【００２８】
誘導加熱可能なカートリッジは通気性シェル内部に蒸気発生物質を含み得る。通気性シェルは、電気絶縁性であり非磁性の通気性材料を含み得る。材料は、高温に耐えつつ空気が材料を通って流れることを可能にするために高通気性を有し得る。好適な通気性材料の例はセルロース繊維、紙、綿及び絹を含む。通気性材料はフィルタとしても機能し得る。代替的に、誘導加熱可能なカートリッジは紙に包まれた蒸気発生物質を含み得る。代替的に、誘導加熱可能なカートリッジは、蒸気発生物質であって、通気性はないが空気が流れるのを可能にするために好適な孔又は開口を含む材料の内部に保持された蒸気発生物質を含み得る。代替的に、誘導加熱可能なカートリッジは蒸気発生物質自体からなり得る。誘導加熱可能なカートリッジは実質的にスティックの形状に形成され得る。
【００２９】
蒸気発生物質は任意のタイプの固体又は半固体材料であり得る。蒸気発生固体の例示的タイプは、粉体、顆粒、ペレット、小片、より糸、粒子、ゲル、ストリップ、ルーズリーフ、刻みフィラー、多孔質材料、発泡材料又はシートを含む。物質は植物由来材料を含んでもよく、特に、物質は煙草を含み得る。
【００３０】
蒸気発生物質はエアロゾル形成剤を含み得る。エアロゾル形成剤の例は、多価アルコール及びその混合物、例えばグリセリン又はプロピレングリコールを含む。典型的には、蒸気発生物質は乾燥重量ベースでおよそ５％〜およそ５０％のエアロゾル形成剤含有量を含み得る。いくつかの実施形態において、蒸気発生物質は乾燥重量ベースでおよそ１５％のエアロゾル形成剤内容量を含み得る。
【００３１】
また、蒸気発生物質はエアロゾル形成剤自体であり得る。この場合、蒸気発生物質は液体であり得る。また、この場合、誘導加熱可能なカートリッジは、液体保持物質（例えば繊維の束、多孔質材料、例えばセラミックなど）であって、液体を蒸発するように保持するとともに、蒸気が形成され、液体保持物質から、例えばユーザによる吸入のために空気出口に向かって、放出／放射されることを可能にする液体保持物質を含み得る。
【００３２】
加熱時、蒸気発生物質は揮発性化合物を放出し得る。揮発性化合物は、ニコチン又は香味化合物、例えば煙草香料を含み得る。
【００３３】
サセプタを加熱するために作動しているときに誘導コイルは電磁場を発生させることから、誘導加熱可能なサセプタを含むいずれの部材も作動中の誘導コイルに近接して配置されると加熱され、したがって、加熱区画に受け入れられる誘導加熱可能なカートリッジの形状及び外形は限定されない。いくつかの実施形態において、誘導加熱可能なカートリッジは形状が円筒形であってもよく、したがって、加熱区画は、実質的に円筒形の蒸発可能な物品を受けるように配置される。
【００３４】
蒸発可能な物質及び煙草製品は特に、円筒形の形で梱包されるとともに販売されることが多いため、加熱区画の、加熱されることになる実質的に円筒形の誘導加熱可能なカートリッジを受ける能力は有利である。
【図面の簡単な説明】
【００３５】
【図１】本開示の第１実施形態による誘導加熱組立体を含む蒸気発生デバイスの概略図である。
【図２】本開示の第２実施形態による誘導加熱組立体を含む蒸気発生デバイスの概略図である。
【図３ａ】図１及び２の誘導加熱組立体のローパスフィルタの第１例の概略図である。
【図３ｂ】図１及び２の誘導加熱組立体のローパスフィルタの第１例の概略図である。
【図４ａ】図１及び２の誘導加熱組立体のローパスフィルタの第２例の概略図である。
【図４ｂ】図１及び２の誘導加熱組立体のローパスフィルタの第２例の概略図である。
【発明を実施するための形態】
【００３６】
本開示の実施形態がここで、一例としてのみ、及び添付図面を参照して説明される。
【００３７】
最初に図１を参照すると、本開示の例による蒸気発生デバイス１０が概略的に示されている。蒸気発生デバイス１０はハウジング１２を含み、その一部は図１に示されている。デバイス１０が吸入される蒸気を発生させるために使用されるとき、マウスピース（図示せず）が空気出口１４でデバイス１０に設置され得る。マウスピースは、ユーザがデバイス１０により発生させられた蒸気を容易に吸入する能力を提供する。デバイス１０は、高周波数で作動するように構成され得る電源１６及び制御電気回路１７を含む。電源１６は典型的には例えば誘導的に再充電可能であり得る１つ又は複数のバッテリを含む。デバイス１０はまた、複数の空気入口１８を含む。
【００３８】
蒸気発生デバイス１０は、蒸気発生（すなわち蒸発可能な）物質を加熱するための誘導加熱組立体２０を含む。誘導加熱組立体２０は、略円筒形の加熱区画２２であって、蒸発可能な物質２６と１つ又は複数の誘導加熱可能なサセプタ２８とを含む対応する形の略円筒形の誘導加熱可能なカートリッジ２４を受けるように配置された略円筒形の加熱区画２２を含む。誘導加熱可能なカートリッジ２４は、典型的には蒸発可能な物質２６を含むために外部層又は膜を含み、外部層又は膜は通気性である。例えば、誘導加熱可能なカートリッジ２４は、煙草と少なくとも１つの誘導加熱可能なサセプタ２８とを含む使い捨てカートリッジ２４であってもよい。
【００３９】
誘導加熱組立体２０は、らせん形誘導コイル３０であって、第１及び第２軸方向端部３８、４０を有し、円筒形の加熱区画２２の周りに延在するとともに電源１６及び制御電気回路１７により励磁され得るらせん形誘導コイル３０を含む。制御電気回路１７は、他の電子部品の中でも、インバータであって、電源１６からの直流を誘導コイル３０のための交流の高周波電流に変換するように配置されたインバータを含む。当業者により理解されるとおり、誘導コイル３０が交流の高周波電流により励磁されると、交流の及び時間的に変化する電磁場が生じる。これは１つ又は複数の誘導加熱可能なサセプタ２８と結合するとともに、１つ又は複数の誘導加熱可能なサセプタ２８において渦電流及び／又はヒステリシス損失を発生させ、それらを温める。熱は、次いで１つ又は複数の誘導加熱可能なサセプタ２８から蒸発可能な物質２６へ、例えば伝導、放射及び対流により伝えられる。
【００４０】
誘導加熱可能なサセプタ２８は、蒸発可能な物質２６を加熱するとともに蒸気を生成するために、サセプタ２８が誘導加熱組立体２０の誘導コイル３０により誘導加熱されると、熱がサセプタ２８から蒸発可能な物質２６へ伝えられるように、蒸発可能な物質２６と直接的又は間接的に接触し得る。蒸発可能な物質２６の蒸発は、空気入口１８を通じた周囲環境からの空気の追加により促される。蒸発可能な物質２６の加熱により発生した蒸気は、次いで空気出口１４を通って加熱区画２２を出て、例えば、マウスピースを通じてデバイス１０のユーザにより吸入され得る。加熱区画２２を通る空気流、すなわち空気入口１８から、加熱区画２２を通り、誘導加熱組立体２０の吸入通路３２に沿って、空気出口１４を出る空気流は、デバイス１０の空気出口１４側からマウスピースを使用して空気を吸うユーザにより作り出された負の圧力により促進され得る。
【００４１】
誘導加熱組立体２０は、誘導コイル３０に電気的に接続されるローパスフィルタ３４を含む。ローパスフィルタ３４は誘導コイル３０のためのローパスフィルタとして機能するとともに、誘導コイル３０のための電磁シールドを提供するように構築されることにより誘導コイル３０により発生した電磁場の漏洩を減少させる。ローパスフィルタ３４は、例えば図３ａに示されるとおり、コイルの巻き方向により画定された平面において延在する、典型的にはフラットコイル３６を含む。
【００４２】
図１において示された実施形態において、ローパスフィルタ３４は誘導コイル３０の第１軸方向端部３８に位置付けられ、ローパスフィルタコイル３６の平面は誘導コイル３０の軸方向に実質的に垂直である。この位置において、ローパスフィルタコイル３６が誘導コイル３０の第１軸方向端部３８で実質的に誘導コイル３０の一方の側にわたって延在すること、及びローパスフィルタコイル３６が誘導コイル３０と電源１６との間に、また空気入口１８と電源１６との間に位置付けられることが分かる。
【００４３】
図示の実施形態において、誘導加熱組立体２０は１つ又は複数の共振キャパシタ４２を含み、ローパスフィルタコイル３６は有利には、共振キャパシタ４２を誘導コイル３０により発生した電磁場への露出から保護するために、誘導コイル３０と１つ又は複数の共振キャパシタ４２との間に位置付けられる。
【００４４】
図２に示された別の実施形態において、ローパスフィルタ３４を形成するコイル３６は、誘導コイル３０の細長い側を実質的に覆うように位置付けられ、ローパスフィルタコイル３６の平面はらせん形誘導コイル３０の軸方向に実質的に平行になるように配置される。
【００４５】
上で言及したとおり、及び図３ａ及び３ｂを参照して、ローパスフィルタ３４は典型的にはフラットコイル３６を含む。ローパスフィルタ３４は、フェリ磁性ディスク４４の形の、例えばローパスフィルタコイル３６の巻き構成に対応する円形断面の形のフェリ磁性プレート部材をさらに含む。ローパスフィルタコイル３６は図３ｂに示されるとおりディスク４４に取り付けられ、ディスク４４は、ローパスフィルタ３４のインダクタンスを増加させる磁心として機能する。当業者により理解されるとおり、コイル３６の、コイル３６の中心領域から半径方向外側に延在する部分は、その下に位置する、コイル３６の、基礎をなす円周方向に延在する部分に接触しない。
【００４６】
図４ａ及び４ｂは、図３ａ及び３ｂに示されたローパスフィルタ３４と同様のローパスフィルタ３４のさらなる実施形態を説明し、そこでは、ローパスフィルタコイル３６は、フェリ磁性ディスク４４ａ、４４ｂの形の２つのフェリ磁性プレート部材の間に位置付けられる。図３ａ及び３ｂに示されるとおり１つのフェリ磁性ディスク４４とは反対に２つのフェリ磁性ディスク４４ａ、４４ｂの使用は、ローパスフィルタ３４のインダクタンスのさらなる増加を提供する。
【００４７】
フェリ磁性ディスク４４、４４ａ、４４ｂは低導電率及び高透磁性を有するフェリ磁性材料を含む。フェライトセラミックが好適な材料の一例である。この場合も、コイル３６の、コイル３６の中心領域から半径方向外側に延在する部分は、その下に位置する、コイル３６の、基礎をなす円周方向に延在する部分に接触しないことが当業者には理解される。
【００４８】
先行するパラグラフにおいては例示的な実施形態が説明されたが、これらの実施形態には添付の特許請求の範囲から逸脱すること無しに様々な修正がなされ得ることが理解されるべきである。したがって、特許請求の範囲の幅広さ及び範囲は上述の例示的な実施形態に限定されるべきではない。
【００４９】
文脈上明らかに他を意味しない限り、説明及び特許請求の範囲全体にわたって、「含む（ｃｏｍｐｒｉｓｅ）」、「含んでいる（ｃｏｍｐｒｉｓｉｎｇ）」などの用語は、排他的又は網羅的な意味とは反対の包含的な意味で、すなわち、「含むが限定するものではない」という意味で解釈されるものである。
【図１】
2021508925.tif 000003
【図２】
2021508925.tif 000004
【図３ａ】
2021508925.tif 000005
【図３ｂ】
2021508925.tif 000006
【図４ａ】
2021508925.tif 000007
【図４ｂ】
2021508925.tif 000008
【国際調査報告】
2021508925.tif 000009
2021508925.tif 000010